(57)【特許請求の範囲】
【請求項１】
可撓性を有するスクリーンと、中空の巻取りボックスと、該巻取りボックス内において、該巻取りボックスに対して両端部が軸心回りに回転自在に支持され、上記スクリーンの一端側が巻回された巻取軸と、上記巻取りボックスの導出口から導出されたスクリーンの他端に取付けられ、上記巻取りボックスに対して可動に設けられた可動枠とを有するスクリーン装置であって、
上記巻取りボックスの長手方向に沿って延びる外周は、建物への固定に供される固定壁と、該固定壁における長手方向に沿って延びる両側端部から立設されて、先端縁間に上記導出口を形成する第１及び第２周壁とにより形成され、上記固定壁と直角を成して巻取軸の軸心を通る垂直面が上記導出口を通っており、
上記巻取軸に巻回されたスクリーンの、該巻取軸から繰出される繰出し点は、上記垂直面よりも第２周壁側に位置していると共に、該繰出し点からのスクリーンの繰出し方向が、常に上記垂直面側に向けて傾斜しており、上記第１周壁には、該第１周壁の先端縁から上記導出口に突設され、上記巻取軸からスクリーンを繰出した際に、撓んだ巻取軸に巻回されているスクリーンの外周が上記第２周壁に当接するのを阻止するストッパプレートが設けられている、
ことを特徴とする巻取式スクリーン装置。
【請求項２】
上記ストッパプレートの先端縁が、上記導出口において、上記垂直面上か該垂直面よりも第２周壁側に位置している、
ことを特徴とする請求項１に記載の巻取式スクリーン装置。
【請求項３】
上記ストッパプレートの先端縁を含む先端部が、上記垂直面に対して略直角を成している、
ことを特徴とする請求項２に記載の巻取式スクリーン装置。
【請求項４】
上記巻取りボックスの第１周壁に、該巻取りボックスの長手方向に延びる長孔が開設されていると共に、上記ストッパプレートには、鉤形状に先端が屈曲した係合片と、弾性支持された係止爪とがストッパプレートの長手方向に並設されていて、
上記長孔が、上記係合片を挿入するための幅広部と、該幅広部よりも幅狭に形成されて該係合片をストッパプレートと係合させるための幅狭部とを、巻取りボックスの長手方向に連設することにより形成されており、
上記係合片を長孔の幅広部に挿入した状態で、ストッパプレートを巻取りボックスの長手方向にスライドさせることにより、上記係合片が幅狭部でストッパプレートと係合されると共に、上記係止爪が長孔の幅広部の開口縁と係合されるように構成されている、
ことを特徴とする請求項１〜３の何れかに記載の巻取式スクリーン装置。
【請求項５】
上記巻取りボックスの第１周壁には、その長手方向に沿って上記長孔が２つ並設され、上記ストッパプレートには、２つの上記係合片がこれら長孔と同じ間隔で形成されると共に、上記係止爪がこれら係合片の中間位置に設けられている、
ことを特徴とする請求項４に記載の巻取式スクリーン装置。
【発明の詳細な説明】
【技術分野】
【０００１】
本発明は、巻取りボックス内からスクリーンが導出されるように構成された巻取式のスクリーン装置に関するものである。
【背景技術】
【０００２】
従来から、例えば、特許文献１に開示された巻取式スクリーン装置が知られている。この種の巻取式スクリーン装置の基本構成としては、巻取軸と、巻取軸を支持する巻取りボックスと、巻取軸に一端が固定されると共に、他端が巻取ボックスの導出口から導出されて可動枠に固定されたスクリーンとを備えている。そして、該スクリーン装置は、可動枠を引張ってスクリーンに対して引張力を作用させることで、巻取軸に巻回されたスクリーンが巻取りボックスの導出口より繰り出され、また、巻取軸に内蔵されたスプリングによって、該巻取軸に自動的に巻取り可能に構成されている。
さらに、このような巻取式のスクリーン装置は、例えば、図１２及び図１３に示すように、壁材２０とそれに蝶番２１を介して取り付けられたドア２２との間で拡縮する隙間を、スクリーン４４によって塞ぐドア用安全装置（スクリーン装置４０）としても用いられる。
【０００３】
ところで、上記スクリーン装置４０において、巻取りボックス４２に対して巻取軸４１は、その両端部で回転自在に支持されているに過ぎないのが通常である。そのため、スクリーン４４が広幅である等して巻取軸４１が軸方向に長尺なものになると、例えば、図１２に示すドア２２閉鎖位置にある状態からドア２２を開放し、当該ドア２２の開放に伴ってスクリーン４４に対して引張力Ｆが加わったときに、図１３に示すように上記引張力Ｆが付与された方向に巻取軸４１が撓んでしまう場合がある。そうすると、巻取軸４１に巻回されたスクリーン４４の外周が、巻取りボックス４２の双方の側縁部４２ａ，４２ｂに当接して、該巻取軸４１との間で挟圧され、スクリーン４４の繰出しに不具合を生じさせる虞がある。このような問題は、ドア用安全装置として用いられるスクリーン装置だけではなく、建物開口部に使用されるスクリーン装置でも生じる虞がある。このような問題の対策としては、巻取軸の大径化等により巻取軸に曲げに対する強度を付与することも考えられるが、その場合、製造コストが増大したり、または、巻取りボックスが大型化したりするという新たな問題が発生する。
なお、本発明に関連する先行技術文献としては、例えば特許文献２のようなものが挙げられる。
【先行技術文献】
【特許文献】
【０００４】
【特許文献１】特開２０００−２７５６９号公報
【特許文献２】特開平９−２７９９６７号公報
【発明の概要】
【発明が解決しようとする課題】
【０００５】
そこで、本発明は、たとえ、スクリーンの繰出しにより巻取軸が撓むようなことがあったとしても、スクリーンをスムーズに繰出すことができ、しかも、それを簡単な構造で低コストにて実現することが可能な巻取式スクリーン装置を提供することを目的とする。
【課題を解決するための手段】
【０００６】
上記目的を達成するため、本発明に係る巻取式スクリーン装置は、可撓性を有するスクリーンと、中空の巻取りボックスと、該巻取りボックス内において、該巻取りボックスに対して両端部が軸心回りに回転自在に支持され、上記スクリーンの一端側が巻回された巻取軸と、上記巻取りボックスの導出口から導出されたスクリーンの他端に取付けられ、上記巻取りボックスに対して可動に設けられた可動枠とを有するスクリーン装置であって、上記巻取りボックスの長手方向に沿って延びる外周は、建物への固定に供される固定壁と、該固定壁における長手方向に沿って延びる両側端部から立設されて、先端縁間に上記導出口を形成する第１及び第２周壁とにより形成され、上記固定壁と直角を成して巻取軸の軸心を通る垂直面が上記導出口を通っており、上記巻取軸に巻回されたスクリーンの、該巻取軸から繰出される繰出し点は、上記垂直面よりも第２周壁側に位置していると共に、該繰出し点からのスクリーンの繰出し方向が、常に上記垂直面側に向けて傾斜しており、上記第１周壁には、該第１周壁の先端縁から上記導出口に突設され、上記巻取軸からスクリーンを繰出した際に、撓んだ巻取軸に巻回されているスクリーンの外周が上記第２周壁に当接するのを阻止するストッパプレートが設けられていることを特徴としている。
【０００７】
このとき、好ましくは、上記ストッパプレートの先端縁が、上記導出口において、上記垂直面上か該垂直面よりも第２周壁側に位置している。より好ましくは、上記ストッパプレートの先端縁を含む先端部が、上記垂直面に対して略直角を成している。
【０００８】
また、上記巻取式スクリーン装置においては、上記巻取りボックスの第１周壁に、該巻取りボックスの長手方向に延びる長孔が開設されていると共に、上記ストッパプレートには、鉤形状に先端が屈曲した係合片と、弾性支持された係止爪とがストッパプレートの長手方向に並設されていて、上記長孔が、上記係合片を挿入するための幅広部と、該幅広部よりも幅狭に形成されて該係合片をストッパプレートと係合させるための幅狭部とを、巻取りボックスの長手方向に連設することにより形成されており、上記係合片を長孔の幅広部に挿入した状態で、ストッパプレートを巻取りボックスの長手方向にスライドさせることにより、上記係合片が幅狭部でストッパプレートと係合されると共に、上記係止爪が長孔の幅広部の開口縁と係合されるように構成することができる。
このとき、好ましくは、上記巻取りボックスの第１周壁には、その長手方向に沿って上記長孔が２つ並設され、上記ストッパプレートには、２つの上記係合片がこれら長孔と同じ間隔で形成されると共に、上記係止爪がこれら係合片の中間位置に設けられている。
【発明の効果】
【０００９】
このように、本発明においては、巻取りボックスの第１周壁に、該第１周壁の先端縁から導出口に突設され、上記巻取軸からスクリーンを繰出した際に、撓んだ巻取軸が上記第２周壁に当接するのを阻止するストッパプレートが設けられている。そのため、たとえ、スクリーンの繰出しにより巻取軸が撓むようなことがあったとしても、該巻取軸に巻回されたスクリーンの外周が、巻取りボックスの導出口を形成する第１及び第２周壁の側縁部に同時に当接して、該巻取軸４１との間で挟圧されるのを防止することができ、スクリーンをスムーズに繰出すことが可能となる。しかも、それを簡単な構造で低コストにて実現することができる。
【図面の簡単な説明】
【００１０】
【図１】本発明の第１の実施形態に係る巻取式スクリーン装置を示す概略横断面図であり、ドアを閉じた状態を示している。
【図２】上記スクリーン装置においてスクリーンを介して巻取軸に引張力が作用した状態を示す概略横断面図であり、ドアを少し開けた状態を示している。
【図３】上記スクリーン装置におけるストッパプレートを示す平面図である。
【図４】図３の側面図である。
【図５】図３の底面図である。
【図６】巻取りボックスの第１周壁を示す平面図である。
【図７】上記巻取りボックスの長孔にストッパプレートの係合片が挿入された状態を示す概略平面図である。
【図８】上記巻取りボックスの長孔の開口縁にストッパプレートの係止爪が係合された状態を示す概略平面図である。
【図９】上記巻取りボックスに対するストッパプレートの装着前の状態を示す概略斜視図である。
【図１０】上記巻取りボックスに対してストッパプレートが装着された状態を示す概略斜視図である。
【図１１】本発明の第２の実施形態に係る巻取式スクリーン装置を示す概略縦断面図である。
【図１２】従来の巻取式スクリーン装置を示す概略横断面図である。
【図１３】図１２のスクリーン装置において、スクリーンの繰出しにより巻取軸が撓んだ状態を示す概略横断面図である。
【発明を実施するための形態】
【００１１】
以下に、本発明に係る巻取式スクリーン装置の各実施形態について、図面を用いて詳細に説明する。
図１−図１０は本発明に係る巻取り式スクリーン装置の第１の実施形態を示しており、巻取式スクリーン装置１は、建物内等のドア２２を取り付けるべき壁材２０と、それに蝶番２１を介して取り付けたドア２２との間に配設され、ドア２２の開閉に伴って壁材２０と該ドア２２との間で拡縮する隙間に手指等が挟まれるのを防止するドア用安全装置として用いられるものである。
【００１２】
図１又は図２に示すように、本実施形態における巻取式スクリーン装置１の基本構成としては、巻取軸２と、巻取軸２を回転自在に支持する中空の巻取りボックス３と、巻取軸２に一端側が巻回されると共に、他端側が巻取りボックス３の導出口４を通じて外部へと導出された可撓性を有するスクリーン５と、該スクリーン５の他端に取付けられ、上記巻取りボックス３に対して可動な可動枠６とを有している。
【００１３】
そして、この巻取式スクリーン装置１をドア２２に取付けるにあたっては、上記巻取りボックスの固定壁３ｃを、上記壁材２０における蝶番２１側の近傍に対してねじや釘等により固定すると共に、上記可動枠６を、ドア２２の蝶番２１側の近傍に同じくねじや釘等により固定する。そうすることにより、ドア２２の開操作に伴って上記壁材２０とドア２２との間に生ずる隙間をスクリーン５で覆って、該隙間で指を挟むのを防止することができるようになっている。
【００１４】
なお、図示は省略するが、巻取軸２内には、スクリーン５の繰出し方向への該巻取軸２の回転により、その逆方向すなわちスクリーン５の巻取り方向の付勢力が蓄積される巻取りバネを備えた自動巻取り機構が収容されており、ドア２２を閉じる時に、スクリーン５が自動的に巻取軸２に巻き取られるようになっている。
【００１５】
上記可動枠６は、図１又は図２に示すように、断面が凹溝状でその開口部内側に対向する係止突部が設けられ、スクリーン５の他端の幅全体を含む長さを有している。一方、この可動枠６に係止する固定板７は、接着剤等の適宜の固定手段によりスクリーン５の他端が接着されると共に、上記可動枠６の係止突部の内側に弾性的に係止する突子を有している。
【００１６】
このようにして、本実施形態においては、ドア２２の閉方向への回動操作に連動して、巻取り方向にバネ付勢されたスクリーン５が巻取軸２に巻き取られ（図１）、その一方で、図１の状態からのドア２２の開方向への回動操作に伴って、巻取軸２に巻回されたスクリーン５に対して、繰出し方向に引張力Ｆが作用することにより、図２に示すように、巻取りボックス３の導出口４から該スクリーン５が外部に導出されるように構成されている。
【００１７】
ところで、上記中空の巻取りボックス３における長手方向に沿って延びる外周は、建物壁への固定に供される、略平板状（横断面が略直線状）に形成された上記固定壁３ｃと、該固定壁３ｃにおける長手方向に沿って延びる両側端部から略垂直に立設されて、先端縁ｅ１，ｅ２間に上記導出口４を形成する第１周壁３ａ及び第２周壁３ｂとにより形成されている。本実施形態においては、上記第１周壁３ａは略平板状（横断面が略直線状）に形成され、上記第２周壁３ｂは横断面が上記第１周壁３ａ側に屈曲する略Ｌ字状に形成されている。なお、これら第１周壁３ａ，第２周壁３ｂ及び固定壁３は、一体に形成されていても良いし、別体に形成されていても良い。
【００１８】
一方、上記巻取軸２は、その長手方向の両端部が、巻取りボックス３の長手方向の端部を閉塞する端壁３ｄ，３ｄに対して、軸心ｌ２回りには回動自在であるが、上記端壁の面に沿っては移動できないように固定支持されている。そして、上記固定壁３ｃと直角を成して該軸心ｌ２を通る垂直面Ｌが、上記第１及び第２周壁３ａ，３ｂの先端縁ｅ１，ｅ２の間すなわち上記導出口４を通っている。
【００１９】
そして、上記巻取軸２に巻回されたスクリーン５が該巻取軸２から繰出される繰出し点２ａ（すなわち、スクリーン５が、巻取軸２に巻回された部分から離間する点）は、上記垂直面Ｌよりも第２周壁３ｂ側に位置しており、該繰出し点２ａからのスクリーン５の繰出し方向が、スクリーン５の巻取軸２からの繰出し量にかかわらず、常時、上記垂直面Ｌ側（すなわち第１周壁３ａ側）に向けて傾斜しているようになっている。すなわち、上記巻取軸２に巻回されたスクリーン５に対して、繰出し方向に引張力Ｆが作用して、巻取軸２に曲げ力が作用した際に、その曲げ力が上記垂直面Ｌよりも第１周壁３ａ側に向くようになっている。
【００２０】
そこで、本実施形態に係る巻取式スクリーン装置１においては、該巻取りボックス３の第１周壁３ａに、該第１周壁３ａの先端縁ｅ１から上記導出口４に向けて突設されていて、上記巻取軸２からスクリーン５を繰出した際に、上記曲げ力により撓んだ巻取軸２に巻回されているスクリーン５の外周を当接させて支持することにより、該スクリーン５の外周が、上記第２周壁３ｂの先端縁ｅ２に対して当接するのを阻止するための（すなわち、第１及び第２周壁３ａ，３ｂの両先端縁ｅ１，ｅ２に上記スクリーン５の外周が同時に当接するのを阻止するための）ストッパプレート１０が固定されている。
【００２１】
そのため、スクリーン５の繰出しに伴って巻取軸２に上記曲げ力が作用して、該曲げ力により巻取軸２が撓んだとしても、スクリーン５における巻取軸２に巻回された部分の外周が、導出口４において上記第１周壁３ａの先端縁ｅ１と第２周壁３ｂの先端縁ｅ２とに同時に当接して巻取軸２との間で挟圧され、スクリーン５の繰出しに不具合が生じるのを防止することができる。
【００２２】
より具体的に説明すると、上記ストッパプレート１０は、スクリーン５が滑りやすい（摩擦係数が極めて小さい）材料で形成されていて、上記固定壁３ｃから略直角に立設された平板状の取付部１０ａと、該取付部１０ａの先端から上記垂直面Ｌ側に湾曲した曲げ板状のストッパ部１０ｂとを一体に連設することにより形成されている。そして、該ストッパプレート１０は、上記曲げ力による巻取軸２の撓みが最も大きくなる巻取りボックス３の長手方向の略中央において、上記垂直面Ｌと略平行を成す上記第１周壁３ａに対して取り付けられている。
【００２３】
このとき、上記取付部１０ａは、該第１周壁３ａの外周面に係止により固定され、その一方で、上記ストッパ部１０ｂは、上記第１周壁３ａの先端部を通じて上記導出口４に突出しており、その先端縁ｅ３が、該導出口４において上記垂直面Ｌ上に位置していると共に、該上記第２周壁３ｂの先端縁ｅ２よりも巻取りボックス３の内方（すなわち、上記固定壁３ｃ側）に位置している。また、上記ストッパ部１０ｂにおける上記先端縁ｅ３を含む先端部が、上記垂直面Ｌに対して略直角を成している。なお、上記ストッパプレート１０の先端縁ｅ３は、上記垂直面Ｌよりも第２周壁３ｂ側に位置していても良い。
【００２４】
このようにストッパプレート１０を配置することにより、たとえ、上述のように、スクリーン５の繰出しに伴って巻取軸２に上記曲げ力が作用して、該曲げ力により巻取軸２が撓んだとしても、撓んだ巻取軸２に巻回されたスクリーン５の外周が、ストッパプレート１０の滑らかな内面に当接して滑らかに回転可能に支持されることにより、第２周壁３ｂの先端縁ｅ２に対して当接するのを阻止することができる（すなわち、第１及び第２周壁３ａ，３ｂの両先端縁ｅ１，ｅ２に上記スクリーン５の外周が同時に当接するのを阻止することができる）。その結果、スクリーン５の繰出しに不具合が生じるのを防止し、滑らかな繰出しを実現することができる。
【００２５】
次に、上記ストッパプレート１０の巻取りボックス３に対する取付構造について具体的に説明する。図３に示すように、上記取付部１０ａの内面側に上記ストッパプレート１０の長手方向に所定の間隔をおいて並ぶ一対の係合片１１，１１と、一対の係合片１１，１１の間に形成された係止爪１２とが設けられ、係合片１１，１１及び係止爪１２がストッパプレート１０の上記長手方向に並設されている。
【００２６】
上記係合片１１は、図５に示すように、取付部１０ａの内面と直交する方向に立設されたガイド部１１ａと、該ガイド部１１ａの先端から上記内面と平行を成して折り曲げられた係合部１１ｂとを有する鉤型状の横断面形状を成しており、上記ストッパプレート１０の長手方向に沿って延設されている（図３参照）。また、図３及び図５に示すように、上記係合部１１ｂは、その幅寸法がガイド部１１ａの略倍程度の寸法を有するように、上記ストッパ部１０ｂとは逆方向に折り曲げられている。
【００２７】
そして、上記係止爪１２は、後述する巻取りボックス３における長孔１３の開口縁に対して、板バネの弾性を利用して係合させるものであって、図３に示すように、上記一対の係合片１１，１１の中間位置において、取付部１０ａの板面が、ストッパプレート１０の上端側（図３の上方側）が底になるように略コ字状に切り込まれ、この切り込みで区画された部分に板片状の当該係止爪１２が設けられている。
【００２８】
この係止爪１２は、ストッパプレート１０の上端側に位置して、その内面側に向けて突設された略山形状の鉤部１２ａと、該鉤部１２ａに一体的に形成され該鉤部１２ａよりもストッパプレート１０の下端側（図３の下方側）に位置する平板状の板バネ部１２ｂとを有しており、該板バネ部１２ｂによりストッパプレート１０に弾性支持されている。また、図４又は図５に示すように、鉤部１２ａは、取付部１０ａの板面から係合片１１のガイド部１１ａと同程度の高さに突出している。
【００２９】
その一方で、巻取りボックス３の第１周壁３ａには、図６又は図９に示すように、該巻取りボックス３の長手方向（上下方向）に延びる長孔１３，１３が、長手方向に２つ並べて配置されている。これら長孔１３，１３は、上記２つの係合片１１，１１が巻取りボックス３の長手方向にスライド可能に係合されるものであって、係合片１１の係合部１１ｂを挿入可能な幅広部１３ａと、該幅広部１３ａよりも幅狭で上記係合片１１のガイド部１１ａを挿入可能な幅狭部１３ｂとから成っており、互いに巻取りボックス３の長手方向に連設されている。
【００３０】
これら幅広部１３ａと幅狭部１３ｂとは、互いに略同一で上記係止片１１の長さよりも若干長い縦寸法（上下方向長さ）を有している。また、２つの長孔１３，１３の間隔については、ストッパプレート１０側の上下に並ぶ係合片１１，１１のそれぞれが、上下に並ぶ幅広部１３ａ，１３ａに同時に挿通できるように、これら係合片１１，１１の間隔と同じとなっている。本実施形態では、上記巻取りボックス３の上下方向において、上方側に幅狭部１３ｂが配置され、この幅狭部１３ｂの下側に幅広部１３ａが配置されている。
【００３１】
上記巻取りボックス３にストッパプレート１０を取り付ける場合には、巻取りボックス３における第１周壁３ａの外面と、ストッパプレート１０の内面とを対峙させ、図７及び図９に示すように、上下の長孔１３，１３における幅広部１３ａに対し、ストッパプレート１０の上下の係合片１１，１１をそれぞれ挿入する。この状態から、ストッパプレート１０を巻取りボックス３の長手方向に沿って上方（長孔１３の幅狭部１３ａ方向）にスライドさせると、上記係合片１１のガイド部１１ａが幅狭部１３ｂにガイドされながら挿入される。その結果、係合部１１ｂが幅狭部１３ｂより幅寸法が大きいことから、係合片１１，１１は長孔１３，１３に抜け止めされた状態で係合される。
【００３２】
その一方で、上記係止爪１２は、上記係合片１１を長孔１３の幅広部１３ａに挿入したとき、上記第１周壁３ａにおける長孔１３，１３間の外面と、上記鉤部１２ａとが当接するので、該係止爪１２が板バネ部１２ｂによりストッパプレート１０外面側に向けて弾性的に変形する。そして、上記係合片１１，１１のガイド部１１ａが、それぞれ長孔１３，１３の幅狭部１３ｂにスライドにより挿入されると、上記鉤部１２ａが長孔１３の幅広部１３ａの開口縁に至って、係止爪１２の板バネ部１２ｂが弾性的に復元する。その結果、図８及び図１０に示すように、この係止爪１２の鉤部１２ａが、上記長孔１３の幅広部１３ａにおける上記幅狭部１３ｂと逆側の開口縁に係合され、ストッパプレート１０と巻取りボックス３とがロックされる。
【００３３】
このように、上記巻取軸２の撓みに起因してスクリーン５の繰出しに不具合が生じるのを防止するにあたり、湾曲した板状の上記ストッパプレート１０を、巻取りボックス３の外面に対して単なるスライド操作により装着するだけで足り、したがって、そのような不具合の防止を、簡単な構造で低コストにて実現することができる。
【００３４】
次いで、図１１に基づき本発明に係る第２の実施形態について説明する。ただし、ここでは説明の重複を避けるため、上記第１の実施形態と同じ構成部分及びそれに基づく作用効果については、同じ符号を付して詳細な説明を省略する。
本実施形態に係る巻取式スクリーン装置３０は、防虫、遮光、目隠し等を目的として設置されるもので、概略的には、建物開口部枠において、サッシ３１に装設された窓等の障子３２よりも室内側に位置する開口部に取付けられるものである。
【００３５】
本実施形態では、建物開口部の上枠に沿って巻取りボックス３が取り付けられており、スクリーン５の端部が取り付けられた操作框３３の上下方向の操作に伴い、スクリーン５が巻取軸２から引き出される（降下する）と閉状態と成り、或いは、該スクリーン５が巻取軸２に巻き取られる（上昇する）と開状態となるように構成されている。なお、下枠には、上記操作框３３を係合させるための係合部材３４が固定されており、スクリーン５の張設時に上記操作框３３を係合部材３４に係止させて、該スクリーン５が張設状態に保持される。本実施形態においても、上記巻取軸２内に、図示しない上記自動巻取り機構が収容されている。
【００３６】
この実施形態においても、上記巻取軸２に巻回されたスクリーン５が該巻取軸２から繰出される繰出し点２ａは、上記垂直面Ｌよりも第２周壁３ｂ側に位置しており、該繰出し点２ａからのスクリーン５の繰出し方向が、スクリーン５の巻取軸２からの繰出し量にかかわらず、常時、上記垂直面Ｌ側に向けて傾斜しているようになっている。すなわち、上記操作框３３の引張り操作（すなわち、スクリーン５の閉操作）に伴い、巻取軸２に巻回されたスクリーン５に対して、上記繰出し方向に引張力Ｆが作用して、巻取軸２に曲げ力が作用した際に、その曲げ力が上記垂直面Ｌよりも第１周壁３ａ側に向くようになっている。したがって、上記操作框３３の引張り操作（すなわち、スクリーン５の閉操作）に伴い、該巻取軸２の中央部が図示するように撓もうとする。
【００３７】
そこで、本実施形態においても、上記第１の実施形態と同様に、上記巻取りボックス３の第１周壁３ａに、上記ストッパプレート１０を設けている。そして、上記ストッパプレート１０のストッパ部１０ｂを、上記第１周壁３ａの先端部を通じて上記導出口４に突出させ、その先端縁ｅ３を、該導出口４において上記垂直面Ｌ上に位置させている。また、上記ストッパ部１０ｂにおける上記先端縁ｅ３を含む先端部が、上記垂直面Ｌに対して略直角を成している。ただし、ここでは、第１周壁３ａの先端縁ｅ３が、第２周壁３ｂの先端縁ｅ２よりも巻取りボックス３の若干外方に位置している。なお、上記ストッパプレート１０の先端縁ｅ３は、上記垂直面Ｌよりも第２周壁３ｂ側に位置していても良く、上記先端縁ｅ３が、先端縁ｅ２よりも巻取りボックス３の内方に位置していても良い。
【００３８】
以上、本発明に係る巻取式スクリーン装置について説明してきたが、本発明は上記の実施形態に限定されることなく、特許請求の範囲の趣旨を逸脱しない範囲で様々な設計変更が可能であることは言うまでもない。例えば、上記第２の実施形態では、スクリーンが上下に開閉自在な縦引きの巻取式スクリーン装置３０を例示したが、上記第１の実施形態と同様に左右に開閉自在な横引きのものであってもよい。
【符号の説明】
【００３９】
１，３０    巻取式スクリーン装置
２        巻取軸
３        巻取りボックス
３ａ    第１周壁
３ｂ    第２周壁
３ｃ    固定壁
４        導出口
５        スクリーン
１０        ストッパプレート
１０ａ      取付部
１０ｂ      ストッパ部
１１        係合片
１２        係止爪
１３        長孔
１３ａ      幅広部
１３ｂ      幅狭部
Ｌ        垂直面
ｌ２      軸心
【図１】
0006514962.tif 000002
【図２】
0006514962.tif 000003
【図３】
0006514962.tif 000004
【図４】
0006514962.tif 000005
【図５】
0006514962.tif 000006
【図６】
0006514962.tif 000007
【図７】
0006514962.tif 000008
【図８】
0006514962.tif 000009
【図９】
0006514962.tif 000010
【図１０】
0006514962.tif 000011
【図１１】
0006514962.tif 000012
【図１２】
0006514962.tif 000013
【図１３】
0006514962.tif 000014